(57)【要約】      （修正有）【課題】  ユーザが消費電力量の調整を機器の性能とのバランスを持って調整できる電子機器の電力量制御システムを提供することを目的とする。【解決手段】  第1の消費電力量測定回路１４と、第2の消費電力量測定回路１９と、た第1の設定回路２０１と、第2の設定回路２０２と、第1の消費電力量測定回路１４で得られた消費電力量を前記設定値と比較して該設定値を超えたときに検出出力を送出する第1の比較回路２０３と、第２の消費電力量測定回路１９で得られた消費電力量を前記設定値と比較して該設定値を超えたときに検出出力を送出する第2の比較回路２０４と、第1の比較回路２０３の検出出力に基づき消費電力量の超過を指示する第1の表示と第２の比較回路２０４の検出出力に基づき消費電力量の超過を指示する第２の表示とをブラウン管８で表示して警告する手段とを備えてなる。【選択図】    図１
2006005781.tif 000002
【特許請求の範囲】
【請求項１】
映像再生部と音声再生部とを有し、夫々独立に電源から電力供給がなされる電子機器において、
前記映像再生部における輝度調整によって消費電力が変化するブラウン管の高圧回路の消費電力量を測定する第1の消費電力量測定手段と、
前記音声再生部における音量調整によって消費電力が変化する低周波増幅回路の消費電力量を測定する第2の消費電力量測定手段と、
前記映像再生部側の消費電力量を予め設定した第1の設定手段と、
前記音声再生部側の消費電力量を予め設定した第２の設定手段と、
前記第1の消費電力量測定手段により得られた消費電力量を前記第1の設定手段の設定値と比較し、該消費電力量が該設定値を超えたときに検出出力を送出する第1の比較手段と、
前記第２の消費電力量測定手段により得られた消費電力量を前記第２の設定手段の設定値と比較し、該消費電力量が該設定値を超えたときに検出出力を送出する第２の比較手段と、
前記第1の比較手段の検出出力に基づき消費電力量の超過を指示する第1の表示と、前記第２の比較手段の検出出力に基づき消費電力量の超過を指示する第２の表示とを前記映像表示部において警告として行なう警告表示手段とを備えてなることを特徴とする電子機器の消費電力量制御システム。
【請求項２】
映像再生部と音声再生部とを有し、夫々独立に電源から電力供給がなされる電子機器において、
前記映像再生部における消費電力が変動する部分の消費電力量を測定する第1の消費電力量測定手段と、
前記音声再生部における消費電力が変動する部分の消費電力量を測定する第2の消費電力量測定手段と、
前記映像再生部側の消費電力量を予め設定した第1の設定手段と、
前記音声再生部側の消費電力量を予め設定した第２の設定手段と、
前記第1の消費電力量測定手段により得られた消費電力量を前記第1の設定手段の設定値と比較し、該消費電力量が該設定値を超えたときに検出出力を送出する第1の比較手段と、
前記第２の消費電力量測定手段により得られた消費電力量を前記第２の設定手段の設定値と比較し、該消費電力量が該設定値を超えたときに検出出力を送出する第２の比較手段と、
前記第1の比較手段の検出出力に基づき消費電力量の超過を指示する第1の表示と、前記第２の比較手段の検出出力に基づき消費電力量の超過を指示する第２の表示とを前記映像表示部において警告として行なう警告表示手段とを備えてなることを特徴とする電子機器の消費電力量制御システム。
【発明の詳細な説明】
【技術分野】
【０００１】
本発明は、映像再生部と音声再生部とを有し、夫々独立に消費電力量の調整が可能な電子機器の消費電力量制御システムに関するものである。
【背景技術】
【０００２】
従来から、各種の電子機器において消費電力の節減対策が種々考えられている。例えば、下記の特許文献１で示すように、表示装置のバックライト光源に冷陰極管を使用したバッテリ駆動のパーソナルコンピュータにおいて、バッテリの持続時間を長くするために消費電力を少なくする技術が提案されている。パーソナルコンピュータは、表示装置の画面の明るさが冷陰極管の輝度調節ボリュームを可変調整することによって行なわれている。ＡＣアダプタを使用して電源供給を行っている場合は、輝度調節ボリュームが最高輝度にセットされたままであっても特に問題はないが、バッテリから電源供給を行なっている場合は、輝度調節ボリュームが最高輝度にセットされたままであると消費電力が増大してしまう。そこで、ＡＣアダプタから電源供給がなされないことを検知して輝度調節ボリュームの最大値を低レベルに設定する。このようにして、バッテリのみで駆動している場合に電源側から冷陰極管への供給電流が少なくなり、バッテリの消費電力を節約して持続時間を長くしている。
【０００３】
また、他の従来技術としては下記の特許文献2に示すものが提案されている。これは、処理回路の動作周波数を変化させることで、装置性能の切り換えを行なうことができるノート型パーソナルコンピュータのようなデータ処理装置における電力制御装置において、処理回路の動作周波数を増大させた時には、このデータ処理装置に接続する液晶表示器のバックライトにおける輝度の低減により消費電力量を低減させる手段と、処理回路の動作周波数を低減させたときには、このデータ処理装置に接続する表示器のバックライトにおける輝度の増大により消費電力量を増大させる手段とを設けたものである。動作周波数を発生するＰＬＬ回路は、例えば、２００Ｈｚと４００Ｈｚの2段階の切り換えがなされるようになっている。バックライトは液晶表示器用インバータによって供給電力量が変更されるようになっている。そして、動作周波数が４００Ｈｚのハイに変更になったときに消費電流がバッテリの電流容量以上になっていると判定された場合には、バックライトの輝度を低減する。一方、２００Ｈｚのローのときにはバックライトの輝度を増大させる。このようにして、データ処理装置全体の消費電力量が規定値以上に増大しないようにしている。
【特許文献１】実開平５−２９０８６号公報（段落〔０００３〕、段落〔０００７〕、段落〔０００８〕）
【特許文献２】特開２００１−１３４３４８号公報（段落〔０００９〕、段落〔００１８〕、段落〔００１９〕、段落〔００２３〕、段落〔００２５〕〜段落〔００２８〕）
【発明の開示】
【発明が解決しようとする課題】
【０００４】
確かに、従来技術のようにバッテリの容量が決まっているものにあっては、装置の消費電力量を自動的に低減して強制的に抑える必要がある。しかしながら、例えば、ＡＣ電源を用いる電子機器にあっては、消費電力量の制限を機器の性能を低下させて強制的に行なうことはユーザにとってかえって不都合ことである。
【０００５】
そこで、本発明は、電子機器の消費電力量の制限値を設定してユーザがこれを目安に電力量の制限を行なうようにした電子機器の消費電力量制御システムを提供することを目的とする。
【課題を解決するための手段】
【０００６】
上記課題を解決するために、本願の請求項１に係る電子機器の消費電力量制御システムの発明は、映像再生部と音声再生部とを有し、夫々独立に電源から電力供給がなされる電子機器において、前記映像再生部における輝度調整によって消費電力が変化するブラウン管の高圧回路の消費電力量を測定する第1の消費電力量測定手段（例えば、第1の消費電力測定回路１４）と、前記音声再生部における音量調整によって消費電力が変化する低周波増幅回路の消費電力量を測定する第2の消費電力量測定手段（例えば、第2の消費電力量測定回路１９）と、前記映像再生部側の消費電力量を予め設定した第1の設定手段（例えば、第1の設定回路２０１）と、前記音声再生部側の消費電力量を予め設定した第２の設定手段（例えば、第2の設定回路２０２）と、前記第1の消費電力量測定手段により得られた消費電力量を前記第1の設定手段の設定値と比較し、該消費電力量が該設定値を超えたときに検出出力を送出する第1の比較手段（例えば、第1の比較回路２０３）と、前記第２の消費電力量測定手段により得られた消費電力量を前記第２の設定手段の設定値と比較し、該消費電力量が該設定値を超えたときに検出出力を送出する第２の比較手段（例えば、第2の比較回路２０４）と、前記第1の比較手段の検出出力に基づき消費電力量の超過を指示する第1の表示と、前記第２の比較手段の検出出力に基づき消費電力量の超過を指示する第２の表示とを前記映像表示部において警告として行なう警告表示手段（例えば、記憶回路２１、映像回路９、ブラウン管８等からなる警告表示手段）とを備えてなる。
【０００７】
また、本願の請求項２に係る電子機器の消費電力量制御システムの発明は、映像再生部と音声再生部とを有し、夫々独立に電源から電力供給がなされる電子機器において、前記映像再生部における消費電力が変動する部分の消費電力量を測定する第1の消費電力量測定手段（例えば、第1の消費電力測定回路１４）と、前記音声再生部における消費電力が変動する部分の消費電力量を測定する第2の消費電力量測定手段例えば、第2の消費電力量測定回路１９）と、前記映像再生部側の消費電力量を予め設定した第1の設定手段（例えば、第1の設定回路２０１）と、前記音声再生部側の消費電力量を予め設定した第２の設定手段（例えば、第2の設定回路２０２）と、前記第1の消費電力量測定手段により得られた消費電力量を前記第1の設定手段の設定値と比較し、該消費電力量が該設定値を超えたときに検出出力を送出する第1の比較手段（例えば、第1の比較回路２０３）と、前記第２の消費電力量測定手段により得られた消費電力量を前記第２の設定手段の設定値と比較し、該消費電力量が該設定値を超えたときに検出出力を送出する第２の比較手段（例えば、第２の比較回路２０４）と、前記第1の比較手段の検出出力に基づき消費電力量の超過を指示する第1の表示と、前記第２の比較手段の検出出力に基づき消費電力量の超過を指示する第２の表示とを前記映像表示部において警告として行なう警告表示手段（例えば、記憶回路２１、映像回路９、ブラウン管８等からなる警告表示手段）とを備えてなることを特徴とする。
【発明の効果】
【０００８】
本発明は上述のような構成をとることにより以下のような効果を奏する。本願の請求項１に係る本発明の電子機器の消費電力量制御システムにおいては、第1の消費電力量測定手段によって測定された高圧回路の消費電力量と、第1の設定手段によって設定された高圧回路の消費電力量の設定値とを第1の比較手段によって比較し、高圧回路の消費電力量が設定値を超えたときに検出出力を送出する。一方、第２の消費電力量測定手段によって測定された低周波増幅回路の消費電力量と、第２の設定手段によって設定された音声再生部側の消費電力量の設定値とを第２の比較手段によって比較し、低周波増幅回路の消費電力量が設定値を超えたときに検出出力を送出する。警告表示手段において、第1の比較手段の検出出力に基づき消費電力量の超過を指示する第1の表示と、第２の比較手段の検出出力に基づき消費電力量の超過を指示する第２の表示とを表示するので、ユーザは第1の表示を見て映像再生部に設けられた輝度調整用の可変抵抗を可変して高圧回路の消費電力を低減し、また、ユーザは第2の表示を見て音量調整用の可変抵抗を可変して低周波増幅回路の消費電力を低減することができる。従って、ユーザは可変抵抗を用いて再生される映像、音声の性能との兼ね合いをみながら消費電力量を設定値内に収めることができる。そして、消費電力を制御する可変抵抗は輝度調整用、音量調整用として既に設けられているため、新たに付加する部品を少なくしてシステムが完成されるので、構造が簡単で操作も容易である電子機器の消費電力量制御システムを提供できる。
【０００９】
また、本願の請求項２に係る本発明の電子機器の消費電力量制御システムにおいては、第1の消費電力量測定手段によって測定された映像再生部における消費電力が変動する部分の消費電力量と、第1の設定手段によって設定された映像再生部側の消費電力量の設定値とを第1の比較手段によって比較し、映像再生部の消費電力量が設定値を超えたときに検出出力を送出する。一方、第２の消費電力量測定手段によって測定された音声再生部における消費電力量が変動する部分の消費電力量と、第２の設定手段によって設定された音声再生部側の消費電力量の設定値とを第２の比較手段によって比較し、音声再生部の消費電力量が設定値を超えたときに検出出力を送出する。警告表示手段において、第1の比較手段の検出出力に基づき消費電力量の超過を指示する第1の表示と、第２の比較手段の検出出力に基づき消費電力量の超過を指示する第２の表示とを表示するので、ユーザは表示の内容を見て映像再生部と音声再生部との消費電力を調整することができる。従って、ユーザは消費電力量と再生される映像、音声の性能との兼ね合いで調整を図ることができる電子機器の消費電力量制御システムを提供できる。
【発明を実施するための最良の形態】
【００１０】
本発明を実施するための最良の形態としては、以下に説明する実施例である。
【実施例】
【００１１】
本発明の実施例を図１、図２によって説明する。図１は本発明の実施例を示す電子機器の消費電力量制御システムのブロック図、図２は図１における演算処理部を示すブロック図、図３は本発明の実施例における動作を示すフローチャートである。
【００１２】
図１に示す電子機器の電力量制御システムは、テレビジョン受像機に適用したものである。テレビジョン受像機はアンテナ１とチューナ２で受信されたテレビジョン信号が映像中間周波増幅回路３、映像中間周波検波回路４で増幅され検波されて映像信号と音声信号に分離されるようになっている。検波された映像信号は映像信号増幅回路５で増幅され、色復調回路６に供給されて復調される。復調された信号はＲＧＢの原色出力回路７に供給されるようになっている。原色出力回路７の出力はブラウン管８のＲＧＢの電子銃に供給されている。映像信号増幅回路５は輝度を調整するための輝度調整用可変抵抗器５１が設けられている。また、映像信号増幅回路５の出力は映像回路９に供給されている。映像回路９の出力側には原色出力回路７が接続され、映像信号に応じて原色出力回路７が制御されるようになっている。また、映像回路９の出力側には垂直偏向回路１０、水平偏向回路１１が接続され、映像信号によってブラウン管８における垂直偏向、水平偏向が制御されるようになっている。ブラウン管８には高圧回路１２からアノード電圧として高電圧が供給されている。
【００１３】
高圧回路１２は電源回路１３から独立に供給された電圧が昇圧されて高電圧が得られるようになっている。高電圧回路１２と電源回路１３との間には、電源回路１３から供給される電力量を測定する第1の消費電力量測定回路１４が接続されている。
【００１４】
映像中間周波検波回路４で分離された音声信号は音声中間周波増幅回路１５に供給されて増幅され、次の音声検波回路１６で検波されて低周波増幅回路１７に供給されようになっている。そして、低周波信号はスピーカ１８によって再生される。また、低周波増幅回路１７には音量を調整するための音量調整用可変抵抗器１７１が設けられている。低周波増幅回路１７には音声出力信号の振幅を検知して消費電力に換算して電力量を測定する第２の消費電力量測定回路１９が接続されている。
【００１５】
第1の消費電力量測定回路１４と第2の消費電力量測定回路１９の出力は演算処理回路２０に供給されている。この演算処理回路２０の出力側には、映像再生部側の消費電力量の超過を警告する第1の表示のためのデータと音声再生部側の消費電力量の超過を警告する第2の表示のためのデータを記憶する記憶回路２１が接続されている。そして、この記憶回路２１のデータは演算処理回路２０の出力によって読み出され映像回路９に供給されるようになっている。
【００１６】
演算処理回路２０は、図2で示すように、第1の設定回路２０１と第2の設定回路２０２を有している。第1の設定回路２０１は映像再生部側である高圧回路１２が１日で消費する消費電力量が予めに設定されている。この設定値は、１週間で消費する消費電力量を節電の観点から上限を設定し、この値から１日分を割り出して得たものである。一方、第２の設定回路２０２は低周波増幅回路１７が１日で消費する消費電力量が予めに設定されている。この設定値は、同じく、１週間で消費する消費電力量を節電の観点から上限を設定し、この値から１日分を割り出して得たものである。測定された消費電力量は設定値以下であればテレビジョン受像機として適切な消費電力量内であるとみなされる。また、演算処理回路２０は、第1の比較回路２０３と第2の比較回路２０４とを有している。第1の比較回路２０３は第1の消費電力量測定回路１４の測定値と第1の設定回路２０１の設定値とを比較し、第2の比較回路２０４は第２の消費電力量測定回路１９の測定値と第２の設定回路２０２の設定値とを比較する。第1の比較回路２０１において、測定値が設定値を超えていると検出されるとその検出出力によって記憶回路２１の第1の表示のデータが読み出されて映像回路９に供給されるようになっている。一方、第２の比較回路２０２において、測定値が設定値を超えていると検出されるとその検出出力によって記憶回路２１の第２の表示のデータが読み出されて映像回路９に供給されるようになっている。
【００１７】
また、演算処理回路２０は、１日目の消費電力量が設定値以下である場合は、設定値までの差分の電力量を２日目の設定値に上乗せする演算処理を行なう。これに対し、１日目の消費電力侶餓設定値を超過した場合は、その超過分を２日目の設定値から減ずる演算処理を行なう。そして、１週間分の消費電力量が1週間に設定値を超えないように管理するようになっている。１週間が経過するとその時点でリセットし第２週目の設定を行なって新たな管理に入るようになっている。
【００１８】
また、演算処理回路２０は、第1の表示に従ってユーザが輝度を低下させたことを判別してブラウン管８上での第1の表示をリセットする処理を行なう。これは、輝度調整用可変抵抗器５１を操作することによって、輝度の低下と共に高圧回路１２の消費電力が以前の状態より低減方向に転換したことを第1の消費電力量測定回路１４により判別する。そして、この判別出力が記憶回路２１、映像回路９を制御して第1の表示状態をリセットするものである。
【００１９】
また、演算処理回路２０は、第２の表示に従ってユーザが音量を低下させたことを判別してブラウン管８上での第２の表示をリセットする処理を行なう。これは、音量調整用可変抵抗器１７１を操作することによって、輝度の低下と共に低周波増幅回路１７の消費電力が以前の状態より低減方向に転換したことを第２の消費電力量測定回路１９により判別する。そして、この判別出力が記憶回路２１、映像回路９を制御して第２の表示状態をリセットするものである。
【００２０】
尚、２１はＡＦＣ回路であって、映像中間周波数検波部４とチューナ2との間に接続されている。２２はＡＧＣ回路であって、映像回路９とチューナ2との間に接続されている。    
【００２１】
次に、上述した本発明の実施例の構成による動作を図３のフローチャートに基づいて説明する。ステップＳ１において、テレビジョン受像機の電源がオンとされと、ステップＳ２で示すように、第１の消費電力量測定回路１４による映像再生部側の消費電力が測定される。同時に、ステップＳ３で示すように、第2の消費電力測定部１５による音声再生部側の消費電力が測定される。
【００２２】
ステップＳ４おいて、第１の消費電力量測定回路１４の測定値と第１の設定回路２０１の設定値とが第１の比較回路２０３によって比較される。すなわち、映像再生部側の消費電力量が設定値を超過したか否かの検出がなされる。この比較の結果、測定値がまだ設定値を超過していない場合には、ステップＳ５で示すように第1の表示はなされない。一方、ステップS６において、第２の消費電力量測定回路１９の測定値と第２の設定回路２０２の設定値とが第２の比較回路２０４によって比較される。すなわち、音声再生部側の消費電力量が設定値を超過したか否かの検出がなされる。この比較の結果、測定値がまだ設定値を超過していない場合には、ステップS７で示すように第2の表示はなされない。そのため、ユーザはテレビジョン受像機の輝度を低減することなく、また音量を十分に大きくした状態で映像と音声の再生を行うことができる。
【００２３】
ステップS４において、測定値が設定値を超過すると第１の比較回路２０３にその検出出力が得られる。この比較の結果によりステップS８において第1の表示を行なう。この第１の表示は映像再生部側で消費電力量が超過した旨の警告文をブラウン管８上で表示するものである。ユーザはこの警告の表示に基づき次のステップS９において輝度調整用可変抵抗器５１を操作して輝度を低減する。ユーザが輝度を低減させることにより高圧回路１２の消費電力が以前より減少方向に転換されて低下する。この転換は第1の消費電力量測定回路１４の測定結果によって演算処理回路２０が判別する。この判別出力によりステップＳ１０で示すようにブラウン管８上の第1の表示状態をリセットする。その結果、ステップＳ５で示す表示なしの状態が得られる。
【００２４】
一方、ステップＳ６において、測定値が設定値を超過すると第２の比較回路２０４にその検出出力が得られる。この比較の結果によりステップS１１において第２の表示を行なう。この第２の表示は音声再生部側で消費電力量が超過した旨の警告文をブラウン管８上で表示するものである。ユーザはこの警告の表示に基づき次のステップS１２において音量調整用可変抵抗器１７１を操作して音量を低減する。ユーザが音量を低減させることにより低周波増幅回路１７の消費電力が以前より減少方向に転換されて低下する。この転換は第２の消費電力量測定回路１９の測定結果によって演算処理回路２０が判別する。この判別出力によりステップＳ１３で示すようにブラウン管８上の第２の表示状態をリセットする。その結果、ステップＳ７で示す表示なしの状態が得られる。
【００２５】
ステップＳ４、ステップＳ６において、両方の測定値が同時に設定値を超過した場合は、ブラウン管8上に第1の表示と第2の表示とが併記されて表示される。そして、夫々の表示はユーザによる輝度調整用可変抵抗器５１、音量調整用可変抵抗器１７１の操作によって独立にリセットされる。
【００２６】
演算処理回路２０は、１日毎に消費電力量に管理を行い１週間経過した時点ですべてをリセットし第２週目の管理状態がセットされる。
【００２７】
上述した実施例によれば、輝度により変化する高圧回路１２の消費電力量は、第1の消費電力量測定回路１４によって測定され、第1の設定回路２０１によって設定された消費電力量の設定値と第1の比較回路２０１において比較される。そして、比較回路２０１は高圧回路１２の消費電力量が設定値を超えたときに検出出力を送出する。この検出出力によって記憶回路２１から第１の表示データが読み出されて映像回路９によってブラウン管８上に第１の表示がなされる。一方、音量により変化する低周波増幅回路１７の消費電力量は、第２の消費電力量測定回路１９によって測定され、第２の設定回路２０２によって設定された消費電力量の設定値と第２の比較回路２０４において比較される。そして、比較回路２０４は低周波増幅回路１７の消費電力量が設定値を超えたときに検出出力を送出する。この検出出力によって記憶回路２１から第２の表示データが読み出されて映像回路９によってブラウン管８上に第２の表示がなされる。ユーザは、映像再生部側の消費電力量が過剰に消費されたことを第１の表示によって知り得るので、既存の輝度調整用可変抵抗器５１を操作して輝度を低下させる。また、音声再生側の消費電力量の消費についてもユーザは第２の表示によって知り得るので既存の音量調整用可変抵抗器１７１を操作して音量を低下させる。このようなユーザの操作によって電子機器であるテレビジョン受像機の消費電力量が制御される。この制御は、ユーザが可変抵抗を用いて再生される映像、音声の性能との兼ね合いをみながら適当な状態に収めることができる。
【００２８】
また、演算処理回路２０は消費電力量が低減方向になったことを判別して第１の表示状態、第２の表示状態を夫々独立にリセットするので、ユーザは消費電力量の低減のための操作が正常になされたことが確認できる。
【００２９】
尚、上述した本発明の実施例においては、映像再生部と音声再生部とを一体化したテレビジョン受像機である電子機器に適用したが、映像再生部と音声再生部とが別体になった受信システムにも適用できる。
【００３０】
尚、また、上述した本発明の実施例においては、第１、第２の表示は夫々の消費電力量を低減する操作が行なわれたことを検知してリセットされるようにしたが、演算処理回路２０において表示開始の時点から一定時間経過後にリセット信号を送出し、このリセ信号によって自動的にリセットされるようにしてもよい。
【００３１】
尚、また、上述した本発明の実施例においては、消費電力の測定は、たとえば、音声再生部側にあっては音声出力信号の振幅を測定して行なったが、これに限定されることなく低周波増幅回路１７の電源回路の消費電力量を測定するようにしてもよい等種々の方法をとることができる。
【図面の簡単な説明】
【００３２】
【図１】図１は、本発明の実施例を示す電子機器の消費電力量制御システムのブロック図である。
【００３３】
【図２】図２は、図１における演算処理部のブロック図である。
【図３】図３は、本発明の実施例における動作を示すフローチャートである。
【符号の説明】
【００３４】
２             チューナ
３             映像中間周波増幅回路
４             映像中間周波検波回路
５             映像信号増幅回路
６             色復調回路
７             原色出力回路
８             ブラウン管
９             映像回路
１０           垂直偏向回路
１１            水平偏向回路
１２            高圧回路
１３            電源回路
１４            第１の消費電力量測定回路
１５            音声中間周波増幅回路
１６            音声検波回路
１７            低周波増幅回路
１９            第２の消費電力量測定回路
２０            演算処理回路
２１            記憶回路
５１            輝度調整用可変抵抗器
１７１          音量調整用可変抵抗器
２０１          第１の設定回路
２０２          第２の設定回路
２０３          第１の比較回路
２０４          第２の比較回路
【図１】
2006005781.tif 000003
【図２】
2006005781.tif 000004
【図３】
2006005781.tif 000005